(57)【特許請求の範囲】
【請求項１】
映像処理装置と所定のインタフェースを介して接続され、該映像処理装置から前記所定のインタフェースを通して入力された映像信号に基づき映像を表示するモニタ装置において、
電源を制御するための操作が為されると、該操作に対応した第１のコマンドを前記所定のインタフェースを通して前記映像処理装置に送信するとともに、前記第１のコマンドに応答して前記映像処理装置から発行された第２のコマンドを前記所定のインタフェースを通して受信する通信手段と、
前記通信手段で受信された前記第２のコマンドに基づいて前記モニタ装置の電源を制御する制御手段と、を備え、
前記通信手段は、前記映像処理装置から、前記第１のコマンドで電源が制御された前記モニタ装置の電源状態を問い合わせるための第３のコマンドを受信し、該第３のコマンドの受信に応答して、前記モニタ装置の電源状態を示す第４のコマンドを前記所定のインタフェースを通して前記映像処理装置へ送信することを特徴とするモニタ装置。
【請求項２】
請求項１に記載のモニタ装置において、前記電源を制御するための操作は、前記モニタ装置に備えられた電源ボタンに対する操作、又は前記モニタ装置を操作するためのリモコンに備えられた電源ボタンに対する操作であることを特徴とするモニタ装置。
【請求項３】
請求項１または２に記載のモニタ装置において、前記通信手段による前記第１、第２、第３及び第４のコマンドの送受信は、前記モニタ装置に特定の映像処理装置が接続されたことが認証された場合に実行されることを特徴とするモニタ装置。
【請求項４】
請求項１乃至３のいずれかに記載のモニタ装置において、前記所定のインタフェースは、ＨＤＭＩ（High Definition Multimedia Interface）インタフェースであることを特徴とするモニタ装置。
【請求項５】
請求項４に記載のモニタ装置において、前記ＨＤＭＩインタフェースにおけるＣＥＣ（Consumer Electric Control）ラインを介して記第１、第２、第３及び第４のコマンドが送受信されることを特徴とするモニタ装置。
【請求項６】
請求項４に記載のモニタ装置において、前記ＨＤＭＩインタフェースによって前記映像処理装置から入力される映像信号が、非圧縮映像信号であることを特徴とするモニタ装置。
【請求項７】
映像を表示するためのモニタ装置に映像信号を出力する映像処理装置において、
電源を制御するための操作に基づき前記モニタ装置の電源を制御するための第１のコマンドを発行する制御手段と、
前記第１のコマンドを所定のインタフェースを通して前記モニタ装置に送信する通信手段と、を備え、
前記通信手段は、前記第１のコマンドにより制御された前記モニタ装置の電源状態を問い合わせるための第２のコマンドを前記所定のインタフェースを通して前記モニタ装置に送信し、該第２のコマンドに応答して前記モニタ装置で発行された前記モニタ装置の電源状態を示す第３のコマンドを受信し、
前記制御手段は、前記通信手段で受信された前記第３のコマンドに示される前記モニタ装置の電源状態と一致するように、前記映像処理装置の電源を制御することを特徴とする映像処理装置。
【請求項８】
請求項７に記載の映像処理装置において、圧縮符号化されたデジタルテレビジョン信号を受信するチューナを更に備え、該チューナにより受信されたデジタルテレビジョン信号を非圧縮映像信号にして、前記所定のインタフェースを介して前記モニタ装置に出力することを特徴とする映像処理装置。
【請求項９】
請求項７または８に記載の映像処理装置において、前記電源を制御するための操作は、前記モニタ装置に備えられた第１の電源ボタンに対する操作、又は前記モニタ装置を操作するためのリモコンに備えられた第２の電源ボタンに対する操作であり、
前記通信手段は、前記第１の電源ボタンまたは前記第２の電源ボタンの操作に応答して前記モニタ装置で発行された電源制御コマンドを受信し、
前記制御手段は、前記通信手段で受信された前記電源制御コマンドに基づいて前記第１のコマンドを発行することを特徴とする映像処理装置。
【請求項１０】
請求項７乃至９のいずれかに記載の映像処理装置において、前記電源を制御するための操作は、前記映像処理装置に備えられた第３の電源ボタンに対する操作であり、
前記制御手段は、前記第３の電源ボタンに対する操作に応答して前記第１のコマンドを発行することを特徴とする映像処理装置。
【請求項１１】
請求項７乃至１０のいずれかに記載の映像処理装置において、前記通信手段による前記第１、第２及び第３のコマンドの送受信は、前記モニタ装置に特定の映像処理装置が接続されたことが認証された場合に実行されることを特徴とする映像処理装置。
【請求項１２】
請求項７乃至１１のいずれかに記載の映像処理装置において、前記所定のインタフェースは、ＨＤＭＩ（High Definition Multimedia Interface）インタフェースであることを特徴とする映像処理装置
【請求項１３】
請求項１２に記載の映像処理装置において、前記ＨＤＭＩインタフェースにおけるＣＥＣ（Consumer Electric Control）ラインを介して前記第１、第２、第３及び第４のコマンドが送受信されることを特徴とする映像処理装置。
【発明の詳細な説明】
【技術分野】
【０００１】
本発明は、互いに別体の筐体で構成された表示パネルと映像処理装置とをインタフェースを介して接続することにより映像表示装置を構成する場合において、表示パネルと映像処理装置とを良好に動作させるための技術に関するものである。
【背景技術】
【０００２】
ＬＣＤやＰＤＰなどフラットパネルを用いたテレビ受信機等の映像表示装置では、設置レイアウトの自由度向上させて例えば壁掛け設置が可能なようにするために、フラットパネルを含むモニタ装置とチューナを含む映像処理装置とを分離し、それらを別体の筐体で構成する場合がある。このような従来技術としては、例えば特許文献１に記載のものが知られている。
【０００３】
この特許文献１には、アンテナ端子と繋がるチューナ・映像処理部を有する映像処理装置（以下、「セットトップボックス」と呼ぶ場合もある）と、映像を表示するフラットパネルを含むモニタ装置を分離してそれぞれ別体の筐体の装置とし、それぞれの装置間を専用の伝送ケーブルで接続する形態のテレビ受信装置が記載されている。
【先行技術文献】
【特許文献】
【０００４】
【特許文献１】特開２００５-０８６７２１号公報
【発明の概要】
【発明が解決しようとする課題】
【０００５】
セットトップボックス装置とモニタ装置が連携し、一体のテレビジョン受信機として動作するためには、セットトップボックスとモニタ装置の双方が、お互いに連係動作可能な特定の機器であることを認識する必要がある。しかしながら、上記特許文献１には、セットトップボックスまたはモニタ装置が、それぞれ接続された相手（機器）が連携動作可能な機器かどうかを認識するための構成を開示していない。また、セットトップボックス及びモニタ装置が、それぞれ連携動作可能でない相手（機器）と接続された場合についても考慮されていない。更に、セットトップボックスとモニタ装置の一方の電源がＯＦＦの場合、ユーザは、当該セットトップボックスとモニタ装置を備える映像表示装置を使用していないことが多い。それにも関わらず、一方の装置の電源がＯＦＦにときに他方の装置がＯＮされていると、映像表示装置を使用していない状態においても余分な電力が消費されることとなる。また、一方の装置の電源がＯＮで他方の装置の電源がＯＦＦの場合には、上記連携動作が行えない場合が生じる。特許文献１では、このようなセットトップボックスとモニタ装置との電源状態の不一致に係る課題等についても考慮されていない。
【０００６】
ところで、映像機器間を互いに接続するインタフェースとして、近年では、デジタル映像・音声を伝送するためのＨＤＭＩ(High-Definition Multimedia Interface)規格に基づくインタフェースが用いられる場合がある（以下、このインタフェースを単に「ＨＤＭＩ」と呼ぶこととする）。ＨＤＭＩには機器同士の制御用通信プロトコルとしてＣＥＣ（Consumer Electric Control）通信プロトコルが規定されている（例えばHDMI-Specification Informational Ver1.0参照）。
【０００７】
ＨＤＭＩでは、セットトップボックスとモニタ装置の双方が、お互いに連係動作可能な機器であることを認識するために、信号送信側機器（ここではセットトップボックス）が、信号受信側機器（ここではモニタ装置に相当）に関連付けられた機器情報（EDID：メーカ名、製品コード、解像度など）を信号受信側機器から取得するような仕組みとなっている。しかし、同様の仕組みでモニタ装置がセットトップボックス装置の機器情報を取得することはできない。
【０００８】
また、セットトップボックスとモニタ装置が、ＨＤＭＩインタフェースに対応した入出力を持つ中継装置を介してＨＤＭＩケーブルで接続されている場合、セットトップボックスが取得する機器情報は、中継機器の機器情報のみであって、モニタ装置の機器情報を得ることはできない。つまり、ＥＤＩＤ情報取得の仕組みだけでは、セットトップボックス装置とモニタ装置がお互いを認識することができず、一体のテレビジョン受信機として動作することができないという課題がある。
【０００９】
本発明は、このような課題に鑑みて為されたものであり、それぞれ別体に構成された映像処理装置とモニタ装置とを良好に連携動作させるための技術を提供するものである。
【課題を解決するための手段】
【００１０】
本発明は、映像表示を行うモニタ装置と、入力された映像信号に対して所定の処理を施して、所定のインタフェースを介して前記モニタ装置に出力する映像処理装置とを互いに例えばＨＤＭＩ等の所定のインタフェースで接続し、モニタ装置及び映像処理装置のそれぞれが、接続相手の装置からその装置に関連付けられた認証コマンドを受信または送信可能とする。そしてモニタ装置及び映像処理装置のいずれか一方または両方が、上記認証コマンドを受信した場合に、モニタ装置と映像処理装置との間で制御信号の送受信して連携動作を行うことを特徴とするものである。
【００１１】
前記表示パネルは、前記映像表示装置を操作するためのリモコン装置からのリモコン信号を受信するように構成されており、前記連携動作を行う場合は、前記モニタ装置で受信したリモコン信号によるコマンドを前記制御信号として前記インタフェースを介して前記映像処理装置に送信し、前記パネル装置が単独動作を行う場合は、前記モニタ装置で受信したリモコン信号を該モニタ装置内部で処理する。また、前記映像処理装置は、前記制御信号として画質を調整するための制御信号を前記パネル装置に送信可能に構成されており、前記連携動作を行う場合は、前記画質を調整するための制御信号を、前記インタフェースを介して前記パネル装置に送信する。
【００１２】
上記インタフェースは、好ましくはＨＤＭＩである。また、前記認証コマンド及び前記
制御信号は、前記ＨＤＭＩ内のＣＥＣ（Consumer Electric Control）ラインにより伝送
される。
【００１３】
上記連携動作時に、前記映像処理装置に内蔵されている画質補正部と前記モニタ装置に
内蔵されている画質補正部が、前記制御信号を用いて互いに連携して制御されるようにし
てもよい。
【００１４】
更にまた、本発明は、上記モニタ装置と前記映像処理装置との間で、前記インタフェースを介して各装置の電源状態に関する情報を送受信可能に構成され、前記モニタ装置と前記映像処理装置のそれぞれの電源状態が一致するように、該モニタ装置と前記映像処理装置の電源が制御されるようにしたことを他の特徴とするものである。例えば前記モニタ装置と前記映像処理装置の一方の装置が電源ＯＮの場合は他方の装置の電源をＯＮとし、一方の装置が電源ＯＦＦの場合は他方の装置の電源をＯＦＦとする。この両装置間における電源の一致制御は、モニタ装置と映像処理装置との間で送受信される認証コマンドを用いて行い、いずれか一方または両方の装置において、前記認証コマンドにより認証が為された場合に、前記電源の制御が許可される。
【００１５】
このように構成することで、映像処理装置とモニタ装置が連携し、一体のテレビジョン受信機として動作するシステムが構成される。
【発明の効果】
【００１６】
本発明によれば、それぞれ別体に構成された映像処理装置とモニタ装置とを良好に連携動作させることが可能となる。
【図面の簡単な説明】
【００１７】
【図１】本発明の実施例1を説明する図
【図２】本発明の実施例１の連携認証コマンドフローを説明する図
【図３】本発明の実施例２を説明する図
【図４】本発明の実施例１の電源起動コマンドフローを説明する図
【発明を実施するための形態】
【００１８】
以下に本発明の実施の形態について、図面を参照しながら説明する。
【実施例１】
【００１９】
図１は本発明に掛かる実施形態の一例を示す図である。セットトップボックス１１とモニタ１２は、ＨＤＭＩケーブルで接続され一体の映像表示装置としてのテレビジョン受信システムを構成する。まず映像処理装置であるセットトップボックス１１の動作を説明する。セットトップボックス１１は電源ＳＷ１１０を押すことにより電源ＯＮとなり、ＤＤＣインタフェース１１２からモニタ１２のＥＤＩＤデータ１２７を読み込み、制御マイコン１１３に伝える。制御マイコン１１３はHDMI-Specification Informational Ver1.0に記載されているとおり、ＥＤＩＤデータに含まれる物理アドレス、モニタ１２が対応する映像フォーマットを取得する。チューナ１１８は、例えばデジタルテレビジョン信号等の映像信号を受信する。ここで、デジタルテレビジョン信号は、例えばＭＰＥＧ−2、ＭＰＥＧ−４等で圧縮符号化されている。映像音声処理部１１４では、その圧縮符号化されたデジタルテレビジョン信号を非圧縮映像信号に変換された後、画素変換、フレームレート変換により前記映像フォーマットに変換され、ＴＭＤＳトランスミッタ１１５からＨＤＭＩケーブルのＴＭＤＳ線１０３を通してモニタ１２に伝送される。また、制御マイコンが前記物理アドレスを取得したことにより、セットトップボックス１１は制御信号としてのＣＥＣコマンドを発信することが可能となり、ＣＥＣインタフェース１１１からＨＤＭＩのＣＥＣ線１０１へ、ポーリング用ＣＥＣコマンドを発信して、ＣＥＣネットワークにおける論理アドレスを確定する。論理アドレス確定後、ＣＥＣネットワーク全体へ論理アドレスと物理アドレスを通知するＣＥＣコマンドを発信する。
【００２０】
次にモニタ１２の動作を説明する。ＨＤＭＩのＴＭＤＳ線１０３を通して伝送された映像信号はＴＭＤＳレシーバ１２６で受信し、映像音声信号処理部１２４にて画質補正処理を行った後、映像表示部１２８にて表示される。この画質補正処理は制御マイコン１２３からの制御で補正量が制御される。モニタ１２の物理アドレスは決まっているため、制御マイコン１２３の起動後から制御信号としてのＣＥＣコマンドを発信することが可能であり、ＣＥＣインタフェース１２１からＨＤＭＩのＣＥＣ線１０１に、ポーリング用ＣＥＣコマンドを発信し、ＣＥＣバス系統内における論理アドレスを確定する。論理アドレス確定後、ＣＥＣネットワーク全体へ論理アドレスと物理アドレスを通知するＣＥＣコマンドを発信する。
【００２１】
モニタ１２には、テレビジョン受信システムを操作もしくは制御するためのリモコン装置１４から発信されたリモコン信号を受信するためのリモコン受光部１２９が設けられており、モニタ１２は、それ自身で、リモコン１４からの電源ＯＮ信号で電源を立ち上げることも可能である。
【００２２】
次にセットトップボックス１１とモニタ１２の連携認証動作について説明する。図２は連携認証のフローである。図２の符号１１はセットトップボックス１１、符号１２はモニタ１２を示している。まずセットトップボックス１１がモニタ１２のＥＤＩＤリード２１１を実行する。これと前後してモニタ１２はＣＥＣネットワーク全体に対して論理アドレス“テレビ”と物理アドレスを通知するコマンド２１２を発行する。セットトップボックス１１は、このコマンド２１２を受信し、論理アドレスが“テレビ”である機器が存在することを把握する。この後、セットトップボックス１１は物理アドレスと論理アドレスが確定後、ＣＥＣネットワーク全体に対して、論理アドレス“チューナ”と物理アドレスを通知するコマンド２１３を発行する。モニタ１２はこのコマンド２１３を受信し、論理アドレス“チューナ”である機器が存在することを把握する。これらのコマンド２１２、コマンド２１３は、他の論理アドレス“テレビ”の機器、論理アドレス“チューナ”機器でも発行するものであり、この状態だけでは連携の認証は成立しない。
【００２３】
コマンド２１３が発行されたことで、論理アドレス“チューナ”の機器がＣＥＣコマンド送受信可能な状態である（すなわち“テレビ”の機器と連携動作可能である）ことをモニタ１２が把握できるので、モニタ１２は、連携動作が可能な特定の装置であることを示す連携認証用ＣＥＣベンダコマンド２１４を発行する。モニタ１２と連携可能なセットトップボックス１１はベンダコマンド２１４を受信すると、ＣＥＣネットワークにより連携動作可能なモニタが接続されていることを認識し、連携動作モードに移行するとともに、同じく連携動作が可能な特定の装置であることを示す連携認証用ＣＥＣベンダコマンド２１５を発行する。モニタ１２はベンダコマンド２１５を受信すると、連携可能なセットトップボックスが接続されていることを認識し、連携動作モードに移行する。これらのコマンドシーケンスにより、セットトップボックス１１とモニタ１２は、ＣＥＣ線１０１を介したＣＥＣコマンドの送受信による連携動作モードとなり、一体のテレビ受信システムとして動作することになる。
【００２４】
連携動作モードでは、リモコン１４の電源ボタンや、セットトップボックス１１の電源ボタン１１０、モニタ１２の電源ボタン１２０のいずれかの操作により、セットトップボックス１１及びモニタ１２の電源ＯＮ・ＯＦＦが可能となる。このセットトップボックス１１とモニタ１２との電源状態の連携制御の詳細については後述する。また、セットトップボックス１１の映像音声信号処理部１１４とモニタ１２の映像音声信号処理部１２４での画質補正量をそれぞれ組み合わさった状態で適切な画質補正とするように補正制御される。例えば、モニタ１２に表示される映像信号の全体の画質補正量を定めておき、この画質補正量をセットトップボックス１１側とモニタ１２側で分配するように連携するようにしてもよい。例えば、セットトップボックス１１の映像音声信号処理部１１４では、全体画質補正量のうち１０％程度の補正量で画質補正を行い、モニタ１２の映像音声信号処理部１２４では残り９０％の補正量で画質補正を行うようにしてもよい。この分配は、セットトップボックス１１の映像音声信号処理部１１４とモニタ１２の映像音声信号処理部１２４における処理量の状態で変更するようにしてもよい。例えば、セットトップボックス１１の映像音声信号処理部１１４の処理量が大きい場合は、映像音声信号処理部１１４の画質補正量を０または少なくし、モニタ１２の映像音声信号処理部１２４での画質補正量を多くする。また、ＨＤＭＩインタフェースにおける信号伝送状態によって上記分配を変更するようにしてもよい。例えばＨＤＭＩインタフェースにおける信号の伝送減衰量が大きい場合は、映像音声信号処理部１１４の画質補正量を０または少なくし、モニタ１２の映像音声信号処理部１２４のみで画質補正を行うか、または映像音声信号処理部１２４での画質補正量を多くする。またＨＤＭＩインタフェースでの伝送減衰量が大きい場合は、両方の映像音声信号処理部で同程度の補正量で画質補正を行うことで、強めに画質補正を行うようにしてもよい。
【００２５】
また、モニタ１２のリモコン受光部１２９へリモコン１４からメニュー表示要求信号を送信すると、その要求信号はＣＥＣコマンドとしてＣＥＣ線１０１を介してセットトップボックス１１に送信され、セットトップボックス１１は、そのＣＥＣコマンドに応答してメニュー画面を作成する。そのメニュー画面の画像信号は、非圧縮映像信号と合成されてＴＭＤＳ線１０３を通してモニタ１２に伝送される。これにより、モニタ１２にはそのセットトップボックス１１のメニュー画面が表示される。ユーザは、リモコン１４を用いて表示されたメニュー画面を操作すると、モニタ１２の制御マイコン１２３は、その操作の種類に応じた処理を発生する。これによりセットトップボックス１１とモニタ１２の機能を同時に制御する。例えばリモコン１４によってコントラスト調整やブライトネス調整などの画質調整のための操作がメニュー画面上で選択された場合には、制御マイコン１２３はそのリモコン信号を画質調整のためのＣＥＣコマンドにしてＣＥＣ線１０１を介してセットトップボックス１１に送信する。これによりセットトップボックス１１の制御マイコン１１３は、そのＣＥＣコマンドに応答して映像音声信号処理部１２３を制御して選択された所望の画質調整を行う。また上記のようにモニタ１２の映像音声信号処理部１２４と連携して画質調整を行うようにしてもよい。また、メニュー画面から図示しないスピーカからの音声ボリューム調整が選択された場合には、モニタ１２の制御マイコン１２３は、そのリモコン信号を上記のようにＣＥＣコマンドとしてセットトップボックス１１に送信せず、モニタ１２の映像音声信号処理部１２４に出力する。これにより、モニタ１２のスピーカからの音声ボリュームがリモコン信号に応じて所望の値に調整される。このように、連携動作モードでは、リモコンからのコマンドの種類に応じて、セットトップボックス１１側で行う制御かモニタ１２側で行う制御かを判別し、その判別に応じてＣＥＣコマンドの発行の要否が制御される。
【００２６】
更にまた、本実施例では、ゲーム用低遅延表示モードを備えている。映像音声信号処理部１２３及び１２４は、例えば入力映像信号の単位時間当たりのフレーム数を増加するためのフレームレート変換処理や、映像信号を拡大縮小するためのスケーリング処理が行われる。フレームレート変換処理やスケーリング処理を行うと、モニタ１２に表示される映像のタイミングが入力映像信号のタイミングよりもたとえば数十〜数百ｍｓ程度遅延する場合がある。このゲーム用低遅延表示モードモードは、例えば、このような処理（特にフレームレート変換処理）を中断することで上記のような表示映像の遅延を軽減するものである。たとえば、セットトップボックス１１側にゲーム機器を接続した場合、前記メニュー画面で、ゲーム用低遅延表示モードをアクティブに設定すると、セットトップボックス１１の映像音声信号処理部１１４を低遅延表示モードに制御すると同時に、ＣＥＣベンダコマンドを用いて、モニタ１２の映像音声信号処理部１２４を低遅延表示モードに制御する。このように本テレビジョン受信システムでは、セットトップボックス１１とモニタ１２の２つの機器で構成されていながら、あたかも１つの機器として動作することが可能である。
【００２７】
なお、セットトップボックス１１とモニタ１２の連携認証が不成立に終わった場合は、セットトップボックス１１とモニタ１２は、それぞれ単独で動作する。例えば、モニタ１２は、リモコン１４からのリモコン信号をセットトップボックス１１側へ送信せず、その内部の制御マイコン１２３によってモニタ１２のみを制御する。
【００２８】
ここで、セットトップボックス１１とモニタ１２の連携動作時の電源管理方法、すなわち電源一致制御動作について説明する。この電源一致制御動作は、上記のような認証コマンドに基づく認証が成功した場合に許可されるものであり、すなわち連携動作モードに移行した場合にのみ実行される。
【００２９】
連携動作時において、セットトップボックス１１とモニタ１２はともに電源ＯＮ／ＯＦＦとなる必要があるが、制御方法によっては、片方が電源ＯＮで片方が電源ＯＦＦというように電源状態の不一致が発生し、連携動作に支障をきたす場合がある。これを回避するにはどちらが片方の機器が双方の電源を管理することが望ましい。本実施例の構成では電源起動において次の３つの方法が存在する。（１）セットトップボックス１１の電源ＳＷ１１０を押す。（２）リモコン１４から電源ＯＮ信号をモニタ１２のリモコン受光部１２９に送信。（３）モニタ１２の電源ＳＷ１３０を押す。
【００３０】
まず、前記（１）について図４（１）のCECコマンドフローで説明する。セットトップボックス１１の電源ＳＷ１１０が押されると、セットトップボックス１１は、モニタ１２へ電源ＯＮを指示するＣＥＣベンダコマンド４１１を発行する。その後、セットトップボックス１１は、モニタ１２へ電源状態を問い合わせるＣＥＣベンダコマンド４１２を発行する。モニタ１２から電源状態“電源ＯＮ”を示すＣＥＣベンダコマンド４１３が受信したのを受け、セットトップボックス１１は自らの電源をＯＮ状態へ移行させる。
【００３１】
次に前記（２）について図４（２）のＣＥＣコマンドフローで説明する。モニタ１２はリモコン受光部１２９でリモコンからの電源ＯＮ信号を受信すると、セットトップボックス１１へ電源ＯＮを指示するリモコン信号を受信したことを示すＣＥＣベンダコマンド４１４を発行する。セットトップボックス１１は、モニタ１２へ電源ＯＮを指示するＣＥＣベンダコマンド４１１を発行する。その後、セットトップボックス１１は、モニタ１２へ電源状態を問い合わせるＣＥＣベンダコマンド４１２を発行する。モニタ１２から電源状態“電源ＯＮ”を示すＣＥＣベンダコマンド４１３が受信したのを受け、セットトップボックス１１は自らの電源をＯＮ状態へ移行させる。
【００３２】
次に前記（３）について図４（３）のＣＥＣコマンドフローで説明する。モニタ１２は電源ボタン１３０が押されると、セットトップボックス１１へ電源ボタンが押されたことを示すＣＥＣベンダコマンド４１５を発行する。セットトップボックス１１は、モニタ１２へ電源ＯＮを指示するＣＥＣベンダコマンド４１１を発行する。その後、セットトップボックス１１は、モニタ１２へ電源状態を問い合わせるＣＥＣベンダコマンド４１２を発行する。モニタ１２から電源状態“電源ＯＮ”を示すＣＥＣベンダコマンド４１３を受信したのを受け、セットトップボックス１１は自らの電源をＯＮ状態へ移行させる。
【００３３】
つまり、モニタ１２は、それに備えられている電源ボタン１３０が押された場合や、リモコンからの電源ＯＮ信号を受信した場合でも、直ちに電源ＯＮを行わず、セットトップボックスからの電源ＯＮの指示を待って電源をＯＮする。さらにセットトップボックス１１はモニタ１２が電源ＯＮ状態に移行したことを確認してから自らを電源ＯＮ状態へ移行させる。このように、セットトップボックス１１が連携動作するモニタ１２の電源状態も含め一元管理することにより、電源状態不一致を回避することができる。ここでは、電源ＯＮへの移行について説明したが、電源ＯＦＦへの移行も同様であり、前記説明の“電源ＯＮ”を、“電源ＯＦＦ”と読み替えることで説明できる。
【００３４】
このように本実施例では、セットトップボックス１１及びモニタ１２が、それぞれ、各装置に関連付けられた認証コマンドを接続先の機器から受信して認証を行い、認証が為されたことで始めて両者の装置の連携動作を許可している。これによって、連携動作が可能とされた特定の装置同士を接続した場合にのみこれらの装置間で連携動作が可能となり、かかるテレビジョン受信システムにおいて良好に連携動作を行うことができる。また、この連携動作によってセットトップボックス１１及びモニタ１２の電源状態の不一致を解消することができ、余分な電力消費や連携動作の不具合を解消することができる。
【００３５】
上記実施例の説明では、セットトップボックス１１及びモニタ１２の両方において認証が成功した場合に連携動作が許可されるようにしたが、いずれか一方の装置のみで認証が為された場合に連携動作を許可するようにしてもよい。この認証は、少なくともモニタ側で行うことが好ましい。また、本発明の実施例について、テレビジョン受信システムを例にして説明したが、これに限られるものではなく、上記のように映像信号を出力する装置とそれを受けて映像を表示するシステムに適用されることは言うまでも無い。
【実施例２】
【００３６】
次に本発明の第二の実施例について説明する。図３は本発明に係る第二の実施例の一例を示す図である。この実施形態は、第一の実施例のセットトップボックス１１と、モニタ１２の間に、ＨＤＭＩインタフェースを介して音声アンプ機器３３が挿入されたものである。この音声アンプ機器は、例えば複数のスピーカと接続されており、モニタ１２に元々備えられたスピーカと共同して、またはモニタ３２のスピーカに代えて、接続された複数のスピーカから音声を出力させるものである。図３のセットトップボックス３１、モニタ３２は、内部構成を含め、図１に記載のセットトップボックス１１、モニタ１２と同じものである。
【００３７】
図３において、音声アンプ機器３３は、セットトップボックス３１からのＴＭＤＳ信号をＴＭＤＳレシーバ３３６で受信し、そのままＴＭＤＳトランスミッタ３３５から出力するとともに、ＴＭＤＳ信号に多重されている音声信号を抽出し、制御マイコン３３３からの制御により音声処理部３３４で処理を行う。音声アンプ機器３３はモニタ３２のＥＤＩＤデータを、ＤＤＣインタフェースを介して取得し、物理アドレスやモニタ３２が対応する映像フォーマット情報を、ＥＤＩＤ３２７に反映させる。セットトップボックス３１やモニタ３２とのＣＥＣコマンド送受信はＣＥＣインタフェース３２１を介して行う。
【００３８】
本実施例が前記第一の実施例と異なる部分は、セットトップボックス３１とモニタ３２との間に音声アンプ機器３３に接続されているので、セットトップボックス３１が、モニタ３２のＥＤＩＤを直接取得することができない点である。しかしながら、このような接続構成であっても、本実施例では、モニタ３２のＥＤＩＤを一旦音声アンプ機器３３に格納し、それをＣＥＣインタフェースによりセットトップボックス３１に送信するようにしているので、セットトップボックス３１はモニタ３２のＥＤＩＤを取得することができる。これにより、セットトップボックス３１とモニタ３２の連携認証処理を、図２にて説明したＣＥＣベンダコマンドフローで実現するため、ＥＤＩＤを直接取得できない接続状態においても連携動作を実現することができる。
【符号の説明】
【００３９】
１１・・・セットトップボックス
１２・・・モニタ
１４・・・リモコン
１０１・・・HDMIケーブルのCEC線
１０２・・・HDMIケーブルのDDC線
１０３・・・HDMIケーブルのTMDS線
１１０・・・セットトップボックスの電源SW
１１１・・・セットトップボックスのCECインタフェース
１１２・・・セットトップボックスのDDCインタフェース
１１３・・・セットトップボックスの制御マイコン
１１４・・・セットトップボックスの映像音声信号処理部
１１５・・・セットトップボックスのTMDSトランスミッタ
１１８・・・セットトップボックスのチューナ
１２０・・・モニタの電源SW
１２１・・・モニタのCECインタフェース
１２３・・・モニタの制御マイコン
１２４・・・モニタの映像音声信号処理部
１２６・・・モニタのTMDSレシーバ
１２７・・・モニタのEDID
１２８・・・モニタの映像表示部
１２９・・・モニタのリモコン受信部
２１１・・・EDIDリード
２１２・・・コマンド
２１３・・・コマンド
２１４・・・コマンド
２１５・・・コマンド
３１・・・セットトップボックス
３２・・・モニタ
３４・・・リモコン
３０１・・・HDMIケーブルのCEC線
３０２・・・HDMIケーブルのDDC線
３０３・・・HDMIケーブルのTMDS線
３１０・・・セットトップボックスの電源SW
３１１・・・セットトップボックスのCECインタフェース
３１２・・・セットトップボックスのDDCインタフェース
３１３・・・セットトップボックスの制御マイコン
３１４・・・セットトップボックスの映像音声信号処理部
３１５・・・セットトップボックスのTMDSトランスミッタ
３１８・・・セットトップボックスのチューナ
３２０・・・モニタの電源SW
３２１・・・モニタのCECインタフェース
３２３・・・モニタの制御マイコン
３２４・・・モニタの映像音声信号処理部
３２６・・・モニタのTMDSレシーバ
３２７・・・モニタのEDID
３２８・・・モニタの映像表示部
３２９・・・モニタのリモコン受信部
３３１・・・音声アンプ機器のCECインタフェース
３３３・・・音声アンプ機器の制御マイコン
３３４・・・音声アンプ機器の映像音声信号処理部
３３５・・・音声アンプ機器のTMDSトランスミッタ
３３６・・・音声アンプ機器のTMDSレシーバ
３３７・・・音声アンプ機器のEDID
３３８・・・音声アンプ機器の映像表示部
３３９・・・音声アンプ機器のリモコン受信部
４１１・・・電源ONを指示するCECベンダコマンド
４１２・・・電源状態を問い合わせるCECベンダコマンド
４１３・・・電源状態“電源ＯＮ”を示すCECベンダコマンド
４１４・・・電源ONを指示するリモコン信号を受信したことを示すCECベンダコマンド
４１５・・・モニタの電源ボタンが押されたことを示すCECベンダコマンド
【図１】
0005548791.tif 000002
【図２】
0005548791.tif 000003
【図３】
0005548791.tif 000004
【図４】
0005548791.tif 000005